【手続補正書】
【提出日】平成24年6月12日(2012.6.12)
【手続補正１】
【補正対象書類名】特許請求の範囲
【補正対象項目名】全文
【補正方法】変更
【補正の内容】
【特許請求の範囲】
【請求項１】
大腿頭部を有し、かつ、寛骨臼窩を備えた寛骨臼を有する股関節を伸延させるための装置であって、
近位端および遠位端を有する細長い可撓部材と、
前記遠位端の近傍の前記細長い部材に結合された膨張可能部材であって、収縮した構成から膨張した構成まで流体によって膨張させることができ、前記膨張した構成では少なくとも約１０ｍｍの横方向の寸法を有し、また、約７．０３ｋｇ／ｃｍ2（１００ｐｓｉ）未満の圧力で少なくとも約２２．６８ｋｇ（５０ｌｂｓ）の伸延力を前記寛骨臼及び前記大腿頭部に印加するように構成される膨張可能部材と
を備え、前記膨張可能部材が前記膨張した構成にある場合、前記膨張可能部材が前記寛骨臼と係合するように構成された装置。
【請求項２】
前記膨張可能部材が前記膨張した構成にある場合、前記膨張可能部材が、接触表面の少なくとも約５０％が前記寛骨臼窩の中に配置されるよう、前記接触表面内のみで前記寛骨臼と係合するように構成された、請求項１に記載の装置。
【請求項３】
前記膨張可能部材が、前記膨張した構成では少なくとも約８ｍｍの曲率半径を有する外部表面を有する、請求項１に記載の装置。
【請求項４】
前記膨張可能部材が軸方向の長さおよび直径を有し、前記軸方向の長さが、膨張した前記膨張可能部材の直径の約０．８倍ないし約１．３倍以下である、請求項１に記載の装置。
【請求項５】
前記膨張可能部材の接触表面が少なくとも約２００ｍｍ2で、かつ、約８００ｍｍ2未満である、請求項１に記載の装置。
【請求項６】
前記膨張可能部材がバルーンを備えた、請求項１に記載の装置。
【請求項７】
前記膨張可能部材が球面の形をしている、及び／又は前記膨張可能部材が概ね平らな下面および概ね半球状の上面を備えた、及び／又は前記膨張可能部材が、中央球根状領域および前記球根状領域を取り囲んでいる環状領域を備えた、請求項１に記載の装置。
【請求項８】
前記膨張可能部材が少なくとも２つの膨張可能領域を備えた、請求項１に記載の装置。
【請求項９】
前記膨張可能部材が前記寛骨臼中での前記膨張可能部材の保持を容易にするように適合された表面特徴を備え、及び任意的に前記表面特徴が、突起、バンプ、リッジおよび粘着領域からなるグループから選択される特徴を備えた、請求項１に記載の装置。
【請求項１０】
前記膨張可能部材が、シースを介した前記膨張可能部材の回収を容易にするように適合された潤滑コーティングを備え、及び／又は前記膨張可能部材が耐パンク材料層をさらに備えた、請求項１に記載の装置。
【請求項１１】
前記バルーンを収縮させるための手段をさらに備え、及び任意的に前記バルーンを収縮させるための前記手段が、前記膨張可能部材と回転係合した軸を備え、前記軸が前記膨張可能部材を回転させ、かつ、収縮させるように適合され、及び／又は任意的に前記バルーンを収縮させるための前記手段が、前記膨張可能部材に結合された直線的に駆動することができる軸を備え、前記軸が前記膨張可能部材を平らな構成に伸ばすように適合された、請求項１に記載の装置。
【請求項１２】
前記細長い部材が、前記関節または前記関節に隣接する組織を損傷することなく前記股関節の中に渡され、かつ、前記股関節を通過するように適合された遠位チップを備えた、請求項１に記載の装置。
【請求項１３】
前記遠位チップが、前記細長い部材が前記股関節の中に渡され、かつ、前記股関節を通過する際に、前記遠位チップが前記寛骨臼表面から離れる方向にバイアスされるよう、半径の大きさが前記寛骨臼の曲率以下である曲率を有し、及び／又は前記遠位チップが前記膨張可能部材の遠位端から約１０ｍｍ以下の距離だけ延在し、及び／又は前記遠位チップが実質的に直線、円錐、湾曲、Ｊ字形およびピグテール形からなるグループから選択される幾何形状を備え、及び／又は前記遠位チップの互いに反対側の２つの面にテーパが施され、それにより１つの横方向の軸の周りの方が第２の横方向の軸の周りよりもより可撓性であり、及び／又は前記遠位チップが弾力性を有し、所定の非バイアス形状に復帰するようにバイアスされた、請求項１２に記載の装置。
【請求項１４】
前記細長い部材が湾曲した領域をその遠位部分に備え、前記湾曲した領域が前記寛骨臼の半径の±２０％以内の半径を有し、及び任意的に前記装置は前記細長い部材の管腔の中に除去可能に配置されたスタイレットをさらに備え、前記スタイレットが、前記細長い部材を前記股関節の中に前進させている間、前記細長い部材をまっすぐにするように適合された、請求項１に記載の装置。
【請求項１５】
前記細長い部材の管腔の中に配置されたスタイレットをさらに備え、前記スタイレットが、対応する湾曲を前記細長い部材の中に形成するように適合された湾曲部分を有し、及び任意的に前記スタイレットが前記スタイレットの縦軸に対して横方向の複数のスロットを備え、前記スロットが前記スタイレットの湾曲を可能にするように適合された、及びさらに任意的に前記スロットが、前記スタイレットが第２の方向よりも第１の方向により容易に湾曲するよう、前記スタイレットの第１の側にのみ配置された、請求項１に記載の装置。
【請求項１６】
前記細長い部材がガイドワイヤ管腔を備え、及び任意的に前記装置は前記細長い部材を介してスライド可能に配置されたガイドワイヤをさらに備え、停止エレメントが前記ガイドワイヤに結合され、前記停止エレメントが前記細長い部材の中への前記ガイドワイヤの前進を拘束する、請求項１に記載の装置。
【請求項１７】
前記細長い部材が、前記細長い部材の１つの横方向の軸の周りの方が他の横方向の軸の周りより容易に湾曲させることができるように選択される断面幾何形状を備えた、請求項１に記載の装置。
【請求項１８】
前記細長い部材の管腔の中に配置されたプルワイヤであって、前記プルワイヤを駆動することによって前記細長い部材の遠位部分に湾曲が形成されるよう、前記細長い部材の前記遠位部分に動作可能に結合されたプルワイヤをさらに備えた、請求項１に記載の装置。
【請求項１９】
前記膨張可能部材の少なくとも一部の上に配置することができる遮蔽をさらに備え、前記遮蔽が前記膨張可能部材のパンクを防止するように適合された、請求項１に記載の装置。
【請求項２０】
関節嚢によって取り囲まれた関節を伸延させるためのシステムであって、
中央貫通通路、前記関節嚢の中に配置することができる遠位端および保持機構を有する細長いカニューレであって、前記保持機構が前記関節嚢の中で前記カニューレを保持するために前記関節嚢と係合するように構成された細長いカニューレと、
細長い軸、および前記軸の前記遠位端の近傍に膨張可能バルーンを有する伸延デバイスであって、前記膨張可能バルーンが前記中央通路を介して配置可能である伸延デバイスと
を備え、前記伸延デバイスが、前記関節を液圧によって伸延させるために、前記中央通路を介して前記関節の中に挿入されるように構成されたシステム。
【請求項２１】
関節嚢によって取り囲まれた関節を伸延させるためのシステムであって、
中央貫通通路、前記関節嚢の中に配置することができる遠位端および保持機構を有する細長いカニューレであって、前記保持機構が前記関節の中で前記カニューレを保持するために組織と係合するように構成された細長いカニューレと、
細長い軸、および前記軸の前記遠位端の近傍に膨張可能バルーンを有する伸延デバイスであって、前記膨張可能バルーンが前記中央通路を介して配置可能である伸延デバイスと
を備え、前記伸延デバイスが、前記関節を液圧によって伸延させるために、前記中央通路を介して前記関節の中に挿入されるように構成されたシステム。
【請求項２２】
前記膨張可能バルーンが軸方向の長さおよび直径を有し、前記軸方向の長さが膨張した前記バルーンの直径の約０．８倍ないし約１．３倍以下である、請求項２０又は２１に記載のシステム。
【請求項２３】
前記膨張可能バルーンが少なくとも約２００ｍｍ2で、かつ、約８００ｍｍ2未満の接触表面を有する、請求項２０又は２１に記載のシステム。
【請求項２４】
前記膨張可能バルーンが概ね球の形をしている、請求項２０又は２１に記載のシステム。
【請求項２５】
前記保持機構が前記カニューレに取り付けられ、及び／又は前記保持機構が前記中央通路を介して配置することができる第２の軸に結合され、及び／又は前記保持機構が、前記カニューレの、半径方向に膨張可能な部分を備え、及び／又は前記保持機構が前記関節嚢の内部表面と係合するように構成され、及び／又は前記保持機構が前記関節嚢の外部表面と係合するように構成され、及び／又は前記保持機構が、前記関節嚢の中に配置することができる内部部分および前記関節嚢の外側に配置することができる外部部分を有する、請求項２０又は２１に記載のシステム。